(57)【要約】【目的】小規模な構成で情報データの受信側から送信側に対してリセット要求を行うことが可能な通信システム、受信装置、半導体装置及び通信システムのリセット方法を提供することを目的とする【構成】情報データを第１処理部から伝送ケーブルを介して第２処理部に送信するにあたり、第２処理部が所定周期のパルス列からなる周期信号を上記伝送ケーブルを介して第１処理部に送信する。第２処理部は、リセット要求信号に応じて周期信号中のパルス列中から少なくとも１つのパルスを削除する。第１処理部は、伝送ケーブルを介して受信した上記周期信号のパルス列中において、互いに時間的に隣接するパルス同士の間隔が所定周期よりも大となる区間を検出したときにリセット要求が為されたと判断して、自身の状態をリセットする。【選択図】図２
2014216849.tif 000002
【特許請求の範囲】
【請求項１】
情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムであって、
前記第２処理部は、所定周期のパルス列からなる周期信号を前記伝送ケーブルを介して前記第１処理部に送信する周期信号送信手段と、リセット要求信号に応じて前記周期信号中の前記パルス列中から少なくとも１つのパルスを削除して前記周期信号中にリセット要求を挿入するリセット要求挿入手段と、を含み、
前記第１処理部は、前記伝送ケーブルを介して受信した前記周期信号のパルス列中において、互いに時間的に隣接するパルス同士の間隔に基づいて前記リセット要求を検出したときに前記第１処理部の状態をリセットするリセット手段を含むことを特徴とする通信システム。
【請求項２】
前記周期信号は、前記情報変調信号を同期化する為の同期信号であり、
前記第１処理部は、前記伝送ケーブルを介して受信した前記周期信号に同期化させて前記情報変調信号を伝送ケーブルに送出することを特徴とする請求項１記載の通信システム。
【請求項３】
外部からのリセット要求、又は前記情報データを復元する際にエラーが生じた場合に前記リセット要求信号を生成するリセット生成手段を更に含むことを特徴とする請求項１又は２記載の通信システム。
【請求項４】
情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムであって、
前記第１処理部は、所定周期のパルス列からなる周期信号を前記伝送ケーブルを介して前記第２処理部に送信する周期信号送信手段と、リセット要求信号に応じて前記周期信号中の前記パルス列中から少なくとも１つのパルスを削除して前記周期信号中にリセット要求を挿入するリセット要求挿入手段と、を含み、
前記第２処理部は、前記伝送ケーブルを介して受信した前記周期信号のパルス列中において、互いに時間的に隣接するパルス同士の間隔に基づいて前記リセット要求を検出したときに前記第２処理部の状態をリセットするリセット手段を含むことを特徴とする通信システム。
【請求項５】
放送波を複数のアンテナで受信する受信装置であって、
前記アンテナ各々で受信して得られた高周波信号の各々に復調処理を施して夫々を合成して得られた信号を復号することにより受信情報データを得る復調復号手段、及び前記受信情報データに対して変調を施して得た情報変調信号を伝送ケーブルに送出する第１送信手段を含む第１処理部と、
前記伝送ケーブルを介して受信した前記情報変調信号に復調処理を施して前記受信情報データを復元する第２処理部と、を有し、
前記第２処理部は、所定周期のパルス列からなる周期信号を前記伝送ケーブルを介して前記第１処理部に送信する周期信号送信手段と、リセット要求信号に応じて前記周期信号中の前記パルス列中から少なくとも１つのパルスを削除して前記周期信号中にリセット要求を挿入するリセット要求挿入手段と、を更に含み、
前記第１処理部は、前記伝送ケーブルを介して受信した前記周期信号のパルス列中において、互いに時間的に隣接するパルス同士の間隔に基づいて前記リセット要求を検出したときに前記第１処理部の状態をリセットするリセット手段を更に含むことを特徴とする受信装置。
【請求項６】
前記周期信号は、前記情報変調信号を同期化する為の同期信号であり、
前記第１処理部は、前記伝送ケーブルを介して受信した前記周期信号に同期化させて前記情報変調信号を伝送ケーブルに送出することを特徴とする請求項５記載の受信装置。
【請求項７】
外部からのリセット要求、又は前記情報データを復元する際にエラーが生じた場合に前記リセット要求信号を生成するリセット生成手段を更に含むことを特徴とする請求項５又は６記載の受信装置。
【請求項８】
情報データに変調を施した情報変調信号を伝送ケーブルに送出する第１処理部が形成されている第１半導体チップと、前記伝送ケーブルを介して受信した前記情報変調信号に復調処理を施して前記情報データを復元する第２処理部が形成されている第２半導体チップと、を有する半導体装置であって、
前記第２処理部は、所定周期のパルス列からなる周期信号を前記伝送ケーブルを介して前記第１処理部に送信する周期信号送信手段と、リセット要求信号に応じて前記周期信号中の前記パルス列中から少なくとも１つのパルスを削除して前記周期信号中にリセット要求を挿入するリセット要求挿入手段と、を含み、
前記第１処理部は、前記伝送ケーブルを介して受信した前記周期信号のパルス列中において、互いに時間的に隣接するパルス同士の間隔に基づいて前記リセット要求を検出したときに前記第１処理部の状態をリセットするリセット手段を含むことを特徴とする半導体装置。
【請求項９】
前記周期信号は、前記情報変調信号を同期化する為の同期信号であり、
前記第１処理部は、前記伝送ケーブルを介して受信した前記周期信号に同期化させて前記情報変調信号を伝送ケーブルに送出することを特徴とする請求項８記載の半導体装置。
【請求項１０】
情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムのリセット方法であって、
前記第２処理部は、所定周期のパルス列からなる周期信号を前記伝送ケーブルを介して前記第１処理部に送信するにあたり、リセット要求信号に応じて前記周期信号中の前記パルス列中から少なくとも１つのパルスを削除して前記周期信号中にリセット要求を挿入し、
前記第１処理部は、前記伝送ケーブルを介して受信した前記周期信号のパルス列中において、互いに時間的に隣接するパルス同士の間隔に基づいて前記リセット要求を検出したときに前記第１処理部の状態をリセットすることを特徴とする通信システムのリセット方法。
【請求項１１】
情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムであって、
前記第２処理部は、直流の電源電圧を生成しこれを前記伝送ケーブルに印加しつつ、リセット要求信号に応じて前記電源電圧の電圧値を所定期間だけ低下させる電源電圧生成供給手段を含み、
前記第１処理部は、当該第１処理部に電源を供給する第１の電源供給ラインと、前記伝送ケーブルから前記電源電圧を導出して前記第１の電源供給ライン上に印加する電源電圧導出手段と、前記第１の電源供給ライン上の電圧値が低下したら前記第１処理部の状態をリセットするリセット手段と、を含むことを特徴とする通信システム。
【請求項１２】
前記第１処理部は、前記電源電圧導出手段において導出された前記電源電圧が印加される第２の電源供給ラインを更に備え、
前記第２の電源供給ラインには、前記所定期間に亘る電源電圧の低下分を抑えるべき静電容量を有するコンデンサが接続されていることを特徴とする請求項１１記載の通信システム。
【請求項１３】
放送波を複数のアンテナで受信する受信装置であって、
前記アンテナ各々で受信して得られた高周波信号の各々に復調処理を施して夫々を合成して得られた信号を復号することにより受信情報データを得る復調復号手段、及び前記受信情報データに対して変調を施して得た情報変調信号を伝送ケーブルに送出する第１送信手段を含む第１処理部と、
前記伝送ケーブルを介して受信した前記情報変調信号に復調処理を施して前記受信情報データを復元する第２処理部と、を有し、
前記第２処理部は、直流の電源電圧を生成しこれを前記伝送ケーブルに印加しつつ、リセット要求信号に応じて前記電源電圧の電圧値を所定期間だけ低下させる電源電圧生成供給手段を含み、
前記第１処理部は、当該第１処理部に電源を供給する第１の電源供給ラインと、前記伝送ケーブルから前記電源電圧を導出して前記第１の電源供給ライン上に印加する電源電圧導出手段と、前記第１の電源供給ライン上の電圧値が低下したら前記第１処理部の状態をリセットするリセット手段と、を含むことを特徴とする受信装置。
【請求項１４】
前記第１処理部は、前記電源電圧導出手段において導出された前記電源電圧が印加される第２の電源供給ラインを更に備え、
前記第２の電源供給ラインには、前記所定期間に亘る電源電圧の低下分を抑えるべき静電容量を有するコンデンサが接続されていることを特徴とする請求項１３記載の受信装置。
【請求項１５】
情報データに変調を施した情報変調信号を伝送ケーブルに送出する第１処理部が形成されている第１半導体チップと、前記伝送ケーブルを介して受信した前記情報変調信号に復調処理を施して前記情報データを復元する第２処理部が形成されている第２半導体チップと、を有する半導体装置であって、
前記第２処理部は、直流の電源電圧を生成しこれを前記伝送ケーブルに印加しつつ、リセット要求信号に応じて前記電源電圧の電圧値を所定期間だけ低下させる電源電圧生成供給手段を含み、
前記第１処理部は、当該第１処理部に電源を供給する第１の電源供給ラインと、前記伝送ケーブルから前記電源電圧を導出して前記第１の電源供給ライン上に印加する電源電圧導出手段と、前記第１の電源供給ライン上の電圧値が低下したら前記第１処理部の状態をリセットするリセット手段と、を含むことを特徴とする半導体装置。
【請求項１６】
前記第１処理部は、前記電源電圧導出手段において導出された前記電源電圧が印加される第２の電源供給ラインを更に備え、
前記第２の電源供給ラインには、前記所定期間に亘る電源電圧の低下分を抑えるべき静電容量を有するコンデンサが接続されていることを特徴とする請求項１５記載の半導体装置。
【請求項１７】
情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムのリセット方法であって、
前記第２処理部は、直流の電源電圧を生成しこれを前記伝送ケーブルに印加しつつ、リセット要求信号に応じて前記電源電圧の電圧値を所定期間だけ低下させ、
前記第１処理部は、前記伝送ケーブルから導出した前記電源電圧を第１の電源供給ラインを介して受け、前記第１の電源供給ライン上の電圧値が低下したら前記第１処理部の状態をリセットすることを特徴とする通信システムのリセット方法。
【発明の詳細な説明】
【技術分野】
【０００１】
本発明は、情報データの伝送を行う通信システム、この通信システムが適用された受信装置、通信システムが形成される半導体装置、及び通信システムのリセット方法に関する。
【背景技術】
【０００２】
複数のアンテナで放送波を受信する、例えば車載用のダイバーシティ受信装置は、車両の屋根又はリアガラスに設置した複数のアンテナと、車室内のセンターコンソールに設置した受信装置筐体と、各アンテナ及び受信装置筐体間を接続する複数のアンテナケーブルとから構成される。従って、車載用のダイバーシティ受信装置では、高周波伝送用であり且つケーブル長が長い複数のアンテナケーブルが必要となることから、高コスト化するという問題があった。
【０００３】
そこで、受信装置として、その受信信号処理を前段部と後段部とに分割し、前段部をアンテナ近傍に設置すると共に、後段部を車室内のセンターコンソールに設置し、両者の間を伝送ケーブルを介して通信接続する通信システムを適用したものが提案された（例えば、特許文献１参照）。かかる受信装置の前段部では、各アンテナで放送波を受信して得られた高周波信号に対して周波数変換及び復調処理を施すことによりアンテナ毎に復調信号を得て、これらを多重化した信号を伝送ケーブルを介して後段部に送信する。一方、後段部では、受信した信号に対して復調及び復号処理を施すことにより、放送局から送信された音声、映像又は各種制御データを復元して出力するようにしている。
【０００４】
ところで、このような受信装置では、後段部がシステム全体の制御を担うものとなる。よって、前段部においてシステム障害が生じた場合には、これを後段部で検知して、リセットを促すリセット信号を前段部に送信する必要がある。しかしながら、リセット信号を伝送する為の専用のケーブルを新たに設けると、装置規模が大になるという問題が生じた。
【０００５】
そこで、情報データを伝送する為の伝送ケーブルによってリセット信号をも伝送するようにした通信装置が提案されている（特許文献２の図７及び図８参照）。かかる通信装置では、単一の伝送ケーブルを介して親機が子機側に情報データを送信するにあたり、親機側がスタートビットの送出後、所定期間に亘り情報データの送信を実施しなかったことをもって、リセット信号を子機側に送信するようにしている。
【０００６】
しかしながら、この通信装置では、情報データの送信側（親機）が情報データを送信しないことをもってリセット信号を送信するものであるので、情報データの受信側（子機）から情報データの送信側（親機）に向けてリセット信号を送信することはできない。よって、上記した受信装置の如き、後段部（受信側）から前段部（送信側）に向けてリセット信号を送信するものには、このリセット信号の送信技術を利用することはできなかった。
【先行技術文献】
【特許文献】
【０００７】
【特許文献１】特開２０１２−７４９０５号公報
【特許文献２】特開平６−２１９９９号公報
【発明の概要】
【発明が解決しようとする課題】
【０００８】
本願発明は、上記の如き問題を解決すべく為されたものであり、小規模な構成で情報データの受信側から送信側に対してリセット要求を行うことが可能な通信システム、受信装置、半導体装置及び通信システムのリセット方法を提供することを目的とする。
【課題を解決するための手段】
【０００９】
本発明に係る通信システムは、情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムであって、前記第２処理部は、所定周期のパルス列からなる周期信号を前記伝送ケーブルを介して前記第１処理部に送信する周期信号送信手段と、リセット要求信号に応じて前記周期信号中の前記パルス列中から少なくとも１つのパルスを削除して前記周期信号中にリセット要求を挿入するリセット要求挿入手段と、を含み、前記第１処理部は、前記伝送ケーブルを介して受信した前記周期信号のパルス列中において、互いに時間的に隣接するパルス同士の間隔に基づいて前記リセット要求を検出したときに前記第１処理部の状態をリセットするリセット手段を含む。
【００１０】
また、本発明に係る通信システムは、情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムであって、前記第２処理部は、直流の電源電圧を生成しこれを前記伝送ケーブルに印加しつつ、リセット要求信号に応じて前記電源電圧の電圧値を所定期間だけ低下させる電源電圧生成供給手段を含み、前記第１処理部は、当該第１処理部に電源を供給する第１の電源供給ラインと、前記伝送ケーブルから前記電源電圧を導出して前記第１の電源供給ライン上に印加する電源電圧導出手段と、前記第１の電源供給ライン上の電圧値が低下したら前記第１処理部の状態をリセットするリセット手段と、を含む。
【００１１】
本発明に係る受信装置は、放送波を複数のアンテナで受信する受信装置であって、前記アンテナ各々で受信して得られた高周波信号の各々に復調処理を施して夫々を合成して得られた信号を復号することにより受信情報データを得る復調復号手段、及び前記受信情報データに対して変調を施して得た情報変調信号を伝送ケーブルに送出する第１送信手段を含む第１処理部と、前記伝送ケーブルを介して受信した前記情報変調信号に復調処理を施して前記受信情報データを復元する第２処理部と、を有し、前記第２処理部は、所定周期のパルス列からなる周期信号を前記伝送ケーブルを介して前記第１処理部に送信する周期信号送信手段と、リセット要求信号に応じて前記周期信号中の前記パルス列中から少なくとも１つのパルスを削除して前記周期信号中にリセット要求を挿入するリセット要求挿入手段と、を更に含み、前記第１処理部は、前記伝送ケーブルを介して受信した前記周期信号のパルス列中において、互いに時間的に隣接するパルス同士の間隔に基づいて前記リセット要求を検出したときに前記第１処理部の状態をリセットするリセット手段を更に含む。
【００１２】
また、本発明に係る受信装置は、放送波を複数のアンテナで受信する受信装置であって、前記アンテナ各々で受信して得られた高周波信号の各々に復調処理を施して夫々を合成して得られた信号を復号することにより受信情報データを得る復調復号手段、及び前記受信情報データに対して変調を施して得た情報変調信号を伝送ケーブルに送出する第１送信手段を含む第１処理部と、前記伝送ケーブルを介して受信した前記情報変調信号に復調処理を施して前記受信情報データを復元する第２処理部と、を有し、前記第２処理部は、直流の電源電圧を生成しこれを前記伝送ケーブルに印加しつつ、リセット要求信号に応じて前記電源電圧の電圧値を所定期間だけ低下させる電源電圧生成供給手段を含み、前記第１処理部は、当該第１処理部に電源を供給する第１の電源供給ラインと、前記伝送ケーブルから前記電源電圧を導出して前記第１の電源供給ライン上に印加する電源電圧導出手段と、前記第１の電源供給ライン上の電圧値が低下したら前記第１処理部の状態をリセットするリセット手段と、を含む。
【００１３】
本発明に係る半導体装置は、情報データに変調を施した情報変調信号を伝送ケーブルに送出する第１処理部が形成されている第１半導体チップと、前記伝送ケーブルを介して受信した前記情報変調信号に復調処理を施して前記情報データを復元する第２処理部が形成されている第２半導体チップと、を有する半導体装置であって、前記第２処理部は、所定周期のパルス列からなる周期信号を前記伝送ケーブルを介して前記第１処理部に送信する周期信号送信手段と、リセット要求信号に応じて前記周期信号中の前記パルス列中から少なくとも１つのパルスを削除して前記周期信号中にリセット要求を挿入するリセット要求挿入手段と、を含み、前記第１処理部は、前記伝送ケーブルを介して受信した前記周期信号のパルス列中において、互いに時間的に隣接するパルス同士の間隔に基づいて前記リセット要求を検出したときに前記第１処理部の状態をリセットするリセット手段を含む。
【００１４】
また、本発明に係る半導体装置は、情報データに変調を施した情報変調信号を伝送ケーブルに送出する第１処理部が形成されている第１半導体チップと、前記伝送ケーブルを介して受信した前記情報変調信号に復調処理を施して前記情報データを復元する第２処理部が形成されている第２半導体チップと、を有する半導体装置であって、前記第２処理部は、直流の電源電圧を生成しこれを前記伝送ケーブルに印加しつつ、リセット要求信号に応じて前記電源電圧の電圧値を所定期間だけ低下させる電源電圧生成供給手段を含み、前記第１処理部は、当該第１処理部に電源を供給する第１の電源供給ラインと、前記伝送ケーブルから前記電源電圧を導出して前記第１の電源供給ライン上に印加する電源電圧導出手段と、前記第１の電源供給ライン上の電圧値が低下したら前記第１処理部の状態をリセットするリセット手段と、を含む。
【００１５】
本発明に係る通信システムのリセット方法は、情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムのリセット方法であって、前記第２処理部は、所定周期のパルス列からなる周期信号を前記伝送ケーブルを介して前記第１処理部に送信するにあたり、リセット要求信号に応じて前記周期信号中の前記パルス列中から少なくとも１つのパルスを削除し、前記第１処理部は、前記伝送ケーブルを介して受信した前記周期信号のパルス列中において、互いに時間的に隣接するパルス同士の間隔に基づいて前記リセット要求を検出したときに前記第１処理部の状態をリセットする。
【００１６】
また、本発明に係る通信システムのリセット方法は、情報データに変調を施した情報変調信号を伝送ケーブルに送出する第１処理部と、前記伝送ケーブルを介して受信した前記情報変調信号に復調処理を施して前記情報データを復元する第２処理部と、を有する通信システムのリセット方法であって、前記第２処理部は、直流の電源電圧を生成しこれを前記伝送ケーブルに印加しつつ、リセット要求信号に応じて前記電源電圧の電圧値を所定期間だけ低下させ、前記第１処理部は、前記伝送ケーブルから導出した前記電源電圧を第１の電源供給ラインを介して受け、前記第１の電源供給ライン上の電圧値が低下したら前記第１処理部の状態をリセットする。
【発明の効果】
【００１７】
本発明においては、情報データを第１処理部から伝送ケーブルを介して第２処理部に送信するにあたり、第２処理部が所定周期のパルス列からなる周期信号を上記伝送ケーブルを介して第１処理部に送信する。ここで、第２処理部は、リセット要求信号に応じて周期信号中のパルス列中から少なくとも１つのパルスを削除する。この際、第１処理部は、伝送ケーブルを介して受信した上記周期信号のパルス列中において、互いに時間的に隣接するパルス同士の間隔が所定周期よりも大となる区間を検出したときにリセット要求が為されたと判断して、自身の状態をリセットする。
【００１８】
かかる構成によれば、リセット信号を送信する為の専用のケーブル或いは無線機能を設けることなく、情報データの受信側（第２処理部）からのリセット要求によって情報データの送信側（第１処理部）をリセットすることができるので、システム全体の小規模化を図ることが可能となる。
【図面の簡単な説明】
【００１９】
【図１】本発明に係る通信システムが適用された車載用ダイバーシティ受信装置を示すブロック図である。
【図２】第１受信処理部２の内部構成を示すブロック図である。
【図３】第１受信処理部２及び第２受信処理部４の内部動作を示すタイムチャートである。
【図４】第２受信処理部４の内部構成を示すブロック図である。
【図５】第１受信処理部２の他の内部構成を示すブロック図である。
【図６】第２受信処理部４の他の内部構成を示すブロック図である。
【図７】パワーオンリセット回路２８０の内部構成を示す回路図である。
【図８】図５及び図６に示される第１受信処理部２及び第２受信処理部４の内部動作を示すタイムチャートである。
【発明を実施するための形態】
【００２０】
図１は、本発明に係る通信システムを車載用ダイバーシティ受信装置に適用した場合での構成を示すブロック図である。
【００２１】
図１に示す車載用ダイバーシティ受信装置は、車両の例えばリアウインドウ（又はフロントウィンドウ）に設置されたｎ個（ｎは２以上の整数）のアンテナ１1〜１n、アンテナ１1〜１nの近傍に設置されている第１受信処理部２、伝送ケーブル３、及び車両室内のセンターコンソールに設置された第２受信処理部４とからなる。尚、この車載用ダイバーシティ受信装置は、例えば「Ｈ.２６４／ＭＰＥＧ−４  ＡＶＣ」又は「ＭＰＥＧ−２」等の動画圧縮規格に従ってＭＰＥＧ（Moving Picture Experts Group）データ化された映像及び音声データにＯＦＤＭ（Orthogonal Frequency Division Multiplexing）変調が施された放送波を受信するものである。また、第１受信処理部２は第１の半導体チップに形成され、第２処理部４は、この第１の半導体チップとは別の第２の半導体チップに形成されているものである。
【００２２】
図２は、第１受信処理部２の内部構成の一例を示すブロック図である。
【００２３】
図２において、アンテナ１1〜１nは夫々個別に放送波を受信して得られた高周波信号Ｒ1〜Ｒnを、夫々個別の高周波伝送用ケーブルを介して第１受信処理部２に供給する。
【００２４】
第１受信処理部２は、復調・復号処理回路２１、変調回路２２、送信アンプ２３、コンデンサ２４、受信アンプ２５、復調回路２６、同期検出回路２７、リセット検出回路２８、リセット送出回路２９及び電源電圧導出回路３１を含む。
【００２５】
復調・復号処理回路２１は、先ず、高周波信号Ｒ1〜Ｒnの各々を、操作データＯＤ（後述する）に含まれる選局情報、つまり視聴を希望する放送局を指定する周波数帯域にダウンコンバートすることにより、高周波信号Ｒ1〜Ｒn夫々に対応したｎ個の中間周波数信号を夫々得る。次に、復調・復号処理回路２１は、これら中間周波数信号を重み付け加算（又は減算）することにより合成して合成受信信号を得る。次に、復調・復号回路２１は、この合成受信信号に対して放送波の変調方式に対応した復調処理を施すことにより復調データを得る。そして、復調・復号回路２１は、この復調データに対して、例えば「Ｈ.２６４／ＭＰＥＧ−４  ＡＶＣ」又は「ＭＰＥＧ−２」等の動画圧縮符号化技術に従った復号処理を施すことにより、ＭＰＥＧデータ形式の受信情報データＲＸを得て、これを変調回路２２及び送信アンプ２３からなる受信データ送信部に供給する。受信データ送信部の変調回路２２は、受信情報データＲＸに対して、例えば放送波の変調と同一のＯＦＤＭ変調、或いはＱＰＳＫ（Quadrature Phase Shift Keying）変調、ＱＡＭ（quadrature amplitude modulation）等のディジタル変調を施して得た信号を、同期信号ＳＤ（後述する）に同期させてフレーム化した受信情報変調信号ＲＭを送信アンプ２３に供給する。送信アンプ２３は、受信情報変調信号ＲＭを増幅して得られた受信情報変調信号ＲＴＸを、ラインＬ１、コンデンサ２４及び伝送ケーブル３を介して第２受信処理部４に送信する。尚、伝送ケーブル３は、かかる受信情報変調信号ＲＴＸを伝送する信号ラインと、接地ラインと、を含む２芯のケーブルである。コンデンサ２４の一端は伝送ケーブル３の信号ラインに接続されており、他端はラインＬ１を介して送信アンプ２３の出力端子及び受信アンプ２５の入力端子に接続されている。コンデンサ２４は、伝送ケーブル３の信号ライン上の直流成分がラインＬ１に流れ込むのを遮断する。
【００２６】
受信アンプ２５は、伝送ケーブル３及びコンデンサ２４を介して第２受信処理部４から送信されてきた制御データ変調信号（後述する）を受け、これを増幅して得られた制御データ変調信号ＯＲを復調回路２６、同期検出回路２７及びリセット検出回路２８に供給する。復調回路２６は、制御データ変調信号ＯＲに対して、第２受信処理部４の変調回路４２（後述する）での変調処理に対応した復調処理を施すことにより操作データを復元し、これを操作データＯＤとして復調・復号処理回路２１に供給する。
【００２７】
同期検出回路２７は、図３に示すように、制御データ変調信号ＯＲ中に周期的に表れる同期パルスＳＰを検出し、同期パルスＳＰ各々に対応したパルスの列からなる同期信号ＳＤを、上記した変調回路２２及びリセット検出回路２８に供給する。
【００２８】
リセット検出回路２８は、同期信号ＳＤのパルス列中において互いに時間的に隣接するパルス同士の間隔に基づいてリセット要求を検出してリセット検出信号ＲＳＴを生成する。すなわち、リセット検出回路２８は、図３に示すように、同期信号ＳＤのパルス列中において互いに時間的に隣接するパルス同士の間隔が所定の監視間隔ＴＳよりも大となった区間を検出したとき、つまり同期信号ＳＤの供給が一時的に途絶えたときに、リセット要求が為されたと判断する。そして、この際、リセット検出回路２８は、例えば図３に示す如き論理レベル０から１の状態に遷移するパルスからなるリセット検出信号ＲＳＴを生成するのである。尚、監視間隔ＴＳは、後述するが如き同期信号における周期Ｔｃよりも大なる時間間隔である。リセット検出回路２８は、このリセット信号ＲＳＴをリセット送出回路２８に供給する。
【００２９】
リセット送出回路２９は、図３に示すように、リセット信号ＲＳＴに応じて、復調回路２６をリセットする為のリセット信号ＲＳ１、及び復調・復号処理回路２１をリセットする為のリセット信号ＲＳ２を生成し、夫々を復調・復号処理回路２１及び復調回路２６に供給する。これにより、復調回路２６は、リセット信号ＲＳ１のエッジ部のタイミングで自身の状態を初期化し、復調・復号処理回路２１は、リセット信号ＲＳ２のエッジ部のタイミングで自身の状態を初期化する。尚、図３に示す一例では、リセット信号ＲＳ１及びＲＳ２各々のエッジ部のタイミングは互いにずれているが、同一であっても良い。
【００３０】
電源電圧導出回路３１は、伝送ケーブル３の信号ライン上に重畳されている直流の電源電圧ＶＤＤを導出する。そして、電源電圧導出回路３１は、かかる電源電圧ＶＤＤを、復調・復号処理回路２１、変調回路２２、送信アンプ２３、受信アンプ２５、復調回路２６、同期検出回路２７、リセット検出回路２８、及びリセット送出回路２９各々を動作させる電源として、夫々に供給する。
【００３１】
図４は、第２受信処理部４の内部構成の一例を示すブロック図である。
【００３２】
図４に示すように、第２受信処理部４は、コンデンサ４１、受信アンプ４２、復調回路４３、受信データデコーダ４４、リセット生成回路４５、リセット要求挿入回路４６、同期信号生成回路４７、変調回路４８、送信アンプ４９及び電源電圧生成回路５１を含む。
【００３３】
図４において、コンデンサ４１の一端は伝送ケーブル３の信号ラインに接続されており、他端はラインＬ２を介して送信アンプ４９の出力端子及び受信アンプ４２の入力端子に接続されている。コンデンサ４１は、伝送ケーブル３の信号ライン上の直流成分がラインＬ２に流れ込むのを遮断する。
【００３４】
受信アンプ４２は、伝送ケーブル３及びコンデンサ４１を介して第１受信処理部２から送信されてきた受信情報変調信号を受け、これを増幅して得られた受信情報変調信号ＲＲを復調回路４３に供給する。復調回路４３は、受信情報変調信号ＲＲに対して、第１受信処理部２の変調回路２２での変調処理に対応した復調処理を施すことによりＭＰＥＧデータとしての受信情報データＲＤを復元し、これを受信データデコーダ４４に供給する。受信データデコーダ４４は、例えばＭＰＥＧデコーダであり、ＭＰＥＧデータとしての受信情報データＲＤに対してＭＰＥＧ復号処理を施すことにより、放送局側から送信されてきた情報データとしての映像及び音声データを得る。尚、映像データは、表示装置（図示せぬ）に供給され、音声データはＤ／Ａ変換器、アンプ及びスピーカ等からなる音響出力装置（図示せぬ）に供給される。
【００３５】
更に、受信データデコーダ４４は、上記したＭＰＥＧ復号処理においてその復号処理で何らかの復号エラーが生じた場合に、その旨を示すエラー信号ＥＲをリセット生成回路４５に供給する。
【００３６】
リセット生成回路４５は、受信データデコーダ４４からエラー信号ＥＲが供給されたとき、又は使用者のリセット操作によって外部（図示せず）供給されたリセット要求であるユーザリセット信号に応じて、例えば図３に示す如く論理レベル１から０の状態に遷移しその状態を少なくとも以下の周期Ｔｃの期間だけ維持するリセット要求信号ＲＱを生成する。すなわち、リセット生成回路４５は、エラー信号ＥＲ又はユーザリセット信号に応じて、リセット要求を示す論理レベル０のリセット要求信号ＲＱを生成し、これをリセット要求挿入回路４６に供給する。
【００３７】
同期信号生成回路４７は、第１受信処理部２が受信情報変調信号ＲＭを同期化して送信する際の同期タイミングを示す同期信号、すなわち、図３に示す如き所定の周期Ｔｃで同期パルスＳＰが表れる周期信号としての同期信号ＳＹを生成し、これをリセット要求挿入回路４６に供給する。
【００３８】
リセット要求挿入回路４６は、論理レベル０のリセット要求信号ＲＱが供給されている間は、図３に示すように、同期信号生成回路４７から供給された同期信号ＳＹをそのまま同期信号ＳＳとして変調回路４８に供給する。一方、リセット要求を示す論理レベル０のリセット要求信号ＲＱに応じて、リセット要求挿入回路４６は、図３に示す如く、同期信号ＳＹにおける同期パルスＳＰの系列中から同期パルスＳＰを１つだけ省いた同期パルスＳＰの系列からなる同期信号ＳＳを生成する。すなわち、リセット要求挿入回路４６は、リセット要求信号ＲＱに応じて、同期信号中のパルス列中から少なくとも１つのパルスを削除することによりリセット要求を挿入するのである。よって、リセット要求信号ＲＱに応じて、同期信号ＳＳにおける同期パルスＳＰの系列中の周期は一時的に、少なくとも周期Ｔｃの２倍以上、つまり監視間隔ＴＳよりも大なる周期となる。
【００３９】
変調回路４８は、かかる同期信号ＳＳ及び操作部から供給された操作データに対して、例えば放送波に施されている変調と同一のＯＦＤＭ変調、或いはＱＰＳＫ変調、又はＱＡＭ等のディジタル変調を施して得られた制御データ変調信号ＯＭを生成し、これを送信アンプ４９に供給する。尚、操作データとは、使用者による受信希望放送局の選局操作、受信動作の開始又は終了命令操作に応じて、操作部が生成したデータである。
【００４０】
送信アンプ４９は、制御データ変調信号ＯＭを増幅して得られた制御データ変調信号ＯＴＸを、ラインＬ２、コンデンサ４１及び伝送ケーブル３の信号ラインを介して第１受信処理部２に送信する。
【００４１】
電源電圧生成回路５１は、第２受信処理部４内の各モジュール、つまり、受信アンプ４２、復調回路４３、受信データデコーダ４４、リセット生成回路４５、リセット要求挿入回路４６、同期信号生成回路４７、変調回路４８及び送信アンプ４９各々を動作させる電源として直流の電源電圧ＶＤＤを生成し、夫々に供給する。更に、電源電圧生成回路５１は、かかる電源電圧ＶＤＤを伝送ケーブル３の信号ラインに印加することにより、電源電圧ＶＤＤを第１受信処理部２に供給する。
【００４２】
すなわち、伝送ケーブル３に含まれる単一の信号ラインに直流の電源電圧ＶＤＤが重畳された状態で、この信号ラインを介して、上記した受信情報変調信号ＲＴＸ及び制御データ変調信号ＯＴＸが第１受信処理部２及び第２受信処理部４間において双方向伝送されるのである。尚、伝送ケーブル３を介した第１受信処理部２及び第２受信処理部４間での双方向通信としては、送信及び受信動作を時間で区切って交互に実施するＴＤＤ（Time Division Duplex）通信、或いは周波数帯域を送信と受信とに分割して同時に送受信を行うＦＤＤ（Frequency Division Duplex）通信が採用される。
【００４３】
以下に、図１〜図４に示される車載用ダイバーシティ受信装置の動作について説明する。
【００４４】
先ず、使用者が操作部を用いて、受信動作の開始を促す操作、及び受信を希望する放送局を選択する選局操作を行うと、第２受信処理部４が、その操作内容を示す操作データ及び同期信号ＳＳに対してディジタル変調を施して得た制御データ変調信号ＯＴＸを、伝送ケーブル３を介して第１受信処理部２に送信する。すると、第１受信処理部２の復調回路２６が、受信した制御データ変調信号に対して復調処理を施すことにより、使用者の操作内容（選局情報、受信開始指令）を示す操作データＯＤを得る。更に、第１受信処理部２の同期検出回路２７が、この制御データ変調信号から同期信号ＳＤを検出する。次に、第１受信処理部２の復調・復号回路２１が、アンテナ１1〜１nで得られた高周波信号Ｒ1〜Ｒnに基づき、上記選局情報で示される放送局からの放送波に対応した受信情報データＲＸを復元する。そして、第１受信処理部２の変調回路２２がこの受信情報データＲＸに対してディジタル変調を施し、更に上記した同期信号ＳＤに同期させてフレーム化した受信情報変調信号を、伝送ケーブル３を介して第２受信処理部４に送信する。この際、第２受信処理部４の復調回路４３は、伝送ケーブル３を介して受信した受信情報変調信号に対して復調処理を施すことにより、ＭＰＥＧデータとしての受信情報データＲＤを得る。第２受信処理部４の受信データデコーダ４４は、かかる受信情報データＲＤに対してＭＰＥＧ復号処理を施すことにより映像及び音声データを得る。
【００４５】
ここで、かかるＭＰＥＧ復号処理中に復号エラーが生じた場合、第２受信処理部４のリセット生成回路４５は、第１受信処理部２に対して初期化を促すリセット要求信号ＲＱを生成する。かかるリセット要求信号ＲＱに応じて、リセット要求挿入回路４６は、同期信号ＳＹにおける周期Ｔｃの同期パルスＳＰの系列中から同期パルスＳＰを１つだけ省いた同期パルスＳＰの系列からなる同期信号ＳＳを生成する。すなわち、リセット要求挿入回路４６は、同期信号生成回路４７から供給された同期信号ＳＹにおける同期パルスＳＰの系列中から１つの同期パルスＳＰを省くことをもって、第１受信処理部２に対してリセット要求を行うのである。これにより、図３に示す如く、その周期が本来の周期Ｔｃの２倍になった区間を含む同期信号ＳＳが伝送ケーブル３を介して第１受信処理部２に送信される。
【００４６】
すると、第１受信処理部２のリセット検出回路２８は、受信した同期信号のパルス列中から、互いに時間的に隣接するパルス同士の間隔が監視間隔ＴＳよりも大となる区間、つまり同期信号が一時的に途絶えた区間を検出する。これにより、リセット検出回路２８は、第２受信処理部４側からリセットを促すリセット要求が為されたと判断し、復調・復号回路２１及び復調回路２６を初期化するリセット信号ＲＳＴを生成する。
【００４７】
すなわち、本発明に係る通信システムでは、情報データ（ＲＸ）を第１処理部（２）から伝送ケーブル（３）を介して第２処理部（４）に送信するにあたり、第２処理部が所定周期（Ｔｃ）のパルス列からなる周期信号（ＳＹ）を上記伝送ケーブルを介して第１処理部に送信する。この際、第２処理部（４）は、リセット要求信号（ＲＱ）に応じて周期信号中のパルス列中から少なくとも１つのパルスを削除することによりリセット要求を行う。第１処理部（２）は、伝送ケーブル（３）を介して受信した周期信号（ＯＲ）のパルス列中において、互いに時間的に隣接するパルス同士の間隔が所定周期（Ｔｃ）よりも大となる区間を検出したときにリセット要求が為されたと判断し、自身の状態をリセットするリセット信号（ＲＳＴ）を生成する。
【００４８】
よって、かかる通信システムによれば、伝送ケーブル３を介して情報データを受ける側の第２受信処理部４から、情報データを送信する側の第１受信処理部２の状態をリセットさせるべき要求を、伝送ケーブル３を介して第１受信処理部２に送信することが可能となる。従って、かかる通信システムによれば、リセット信号を送信する為の専用のケーブル或いは無線機能を設けることなく、情報データの受信側（４）からのリセット要求によって情報データの送信側（２）をリセットすることができるので、システム全体の小規模化を図ることが可能となる。
【００４９】
尚、上記実施例では、図３に示す如く同期信号ＳＹにおける同期パルスＳＰの系列中から同期パルスＳＰを１つ省くことをもって、第１受信処理部２に対してリセット要求を行うようにしているが、リセット検出回路２８での誤検出を防止すべく、連続する２つ以上の同期パルスＳＰを省くことによりリセット要求を行うようにしても良い。すなわち、リセット要求挿入回路４６は、リセットを促すリセット要求信号ＲＱに応じて、同期信号ＳＹにおける周期Ｔｃの同期パルスＳＰの系列中から少なくとも１つの同期パルスＳＰを省いたパルス列からなる同期信号ＳＳを生成するものであれば良いのである。
【００５０】
また、上記実施例では、第１受信処理部２に送信する同期信号を利用してこの第１受信処理部２に対してリセット要求を行うようにしているが、第２受信処理部４が周期的なパルス列を有する信号を第１受信処理部２に送信するようにし、そのパルス列中から少なくとも１つのパルスを省くことによりリセット要求を行うようにしても良い。
【００５１】
また、上記実施例では、伝送ケーブル３を介して第１受信処理部２に送信する同期信号を一時的に遮断することにより第１受信処理部２の状態をリセットするようにしているが、電源電圧の供給を一時的に遮断することにより第１受信処理部２の状態をリセットするようにしても良い。
【００５２】
図５及び図６は、かかる点に鑑みて為された、本発明に係る他の通信システムが適用された車載用ダイバーシティ受信装置の構成を示すブロック図である。尚、図５は図１に示される第１受信処理部２の他の構成、図６は第２受信処理部４の他の構成を夫々示すブロック図である。
【００５３】
図５に示される第１受信処理部２では、コンデンサ３２を新たに設け、且つリセット検出回路２８に代えてパワーオンリセット回路２８０を採用し、リセット送出回路２９に代えてリセット送出回路２９０を採用し、電源電圧導出回路３１に代えて電源電圧導出回路３１０を採用した点を除く他の構成は、図２に示すものと同一である。
【００５４】
電源電圧導出回路３１０は、伝送ケーブル３の信号ライン上に重畳されている直流の電源電圧ＶＤＤを導出する。そして、電源電圧導出回路３１０は、かかる電源電圧ＶＤＤを第１の電源供給ラインＢ１を介して、復調・復号処理回路２１、変調回路２２、送信アンプ２３、受信アンプ２５、復調回路２６、同期検出回路２７、パワーオンリセット回路２８０及びリセット送出回路２９各々を動作させる電源として、夫々に供給する。更に、電源電圧導出回路３１０は、伝送ケーブル３の信号ライン上から導出された電源電圧ＶＤＤを第２の電源供給ラインＢ２を介して外部モジュール又は機器（図示せず）に供給する。尚、第２の電源供給ラインＢ２には、後述するが如き一時的な電源停止動作に伴う電圧低下を抑える為にコンデンサ３２が接続されている。
【００５５】
パワーオンリセット回路２８０は、例えば図７に示す如き遅延回路２８１及びアンドゲート回路２８２を含んだ内部構成を有する。遅延回路２８１は、第１の電源供給ラインＢ１を介して供給された電源電圧ＶＤＤを所定期間だけ遅延させた遅延電圧ＤＢをアンドゲート回路２８２に供給する。アンドゲート回路２８２は、電源電圧ＶＤＤ及び遅延電圧ＤＢが共に閾値電圧（例えばＶＤＤ／２）より大きい場合に論理レベル１、それ以外の場合には論理レベル０を有するリセット信号ＲＳＴを生成する。パワーオンリセット回路２８０は、このリセット信号ＲＳＴをリセット送出回路２９０に供給する。リセット送出回路２９０は、リセット信号ＲＳＴの立ち上がりエッジ部に応じて、復調回路２６をリセットする為のリセット信号ＲＳ１、及び復調・復号処理回路２１をリセットする為のリセット信号ＲＳ２を生成し、夫々を復調・復号処理回路２１及び復調回路２６に供給する。
【００５６】
図６に示される第２受信処理部４では、リセット要求挿入回路４６を省くと共に、リセット生成回路４５に代えてリセット生成回路４５０を採用し、同期信号生成回路４７に代えて同期信号生成回路４７０を採用し、電源電圧生成回路５１に代えて電源電圧生成回路５１０を採用した点を除く他の構成は、図４に示すものと同一である。
【００５７】
同期信号生成回路４７０は、上記した同期信号生成回路４７と同様に、図３に示す如き所定の周期Ｔｃで同期パルスＳＰが表れる同期信号ＳＹを生成し、これを変調回路４８に供給する。
【００５８】
リセット生成回路４５０は、受信データデコーダ４４からエラー信号ＥＲが供給されたとき、又は使用者のリセット操作によって操作部から送出されたユーザリセット信号に応じて、図８に示す如く論理レベル１の状態から論理レベル０の状態に遷移するパルスを含むリセット要求信号ＲＱを生成し、これを電源電圧生成回路５１０に供給する。
【００５９】
電源電圧生成回路５１０は、第２受信処理部４内の各モジュール、つまり、受信アンプ４２、復調回路４３、受信データデコーダ４４、リセット生成回路４５０、同期信号生成回路４７０、変調回路４８及び送信アンプ４９の各々を動作させる電源として直流の電源電圧ＶＤＤを生成し、これを第３の電源供給ラインＢ３を介して夫々に供給する。更に、電源電圧生成回路５１０は、かかる電源電圧ＶＤＤを第４の電源供給ラインＢ４を介して伝送ケーブル３の信号ラインに印加することにより、電源電圧ＶＤＤを第１受信処理部２に供給する。
【００６０】
ただし、電源電圧生成回路５１０は、リセット生成回路４５０から図８に示す如きリセット要求信号ＲＱが供給された場合には、かかるリセット要求信号ＲＱの立ち下がりエッジ部に応じて、第４の電源供給ラインＢ４に送出すべき電源電圧ＶＤＤを所定の期間Ｔｏｆの間だけ０ボルトにする。すなわち、電源電圧生成回路５１０は、リセット要求信号ＲＱに応じて一時的（Ｔof）に、第４の電源供給ラインＢ４への電源電圧ＶＤＤの供給を遮断するのである。
【００６１】
以下に、図５及び図６に示される構成において為されるリセット処理について説明する。
【００６２】
先ず、第２受信処理部４のリセット生成回路４５０が、第１受信処理部２に対してリセットを促す、図８に示す如きリセット要求信号ＲＱを生成する。かかるリセット要求信号ＲＱに応じて、第２受信処理部４の電源電圧生成回路５１０は、第４の電源供給ラインＢ４に送出すべき電源電圧ＶＤＤを図８に示すように所定の期間Ｔｏｆの間だけ０ボルトにする。これにより、第１受信処理部２の電源電圧導出回路３１０が第１の電源供給ラインＢ１に導出する電源電圧も、図８に示すように一時的（Ｔof）に０ボルトに遷移し、その後、電源電圧ＶＤＤの状態に戻る。よって、このような一時的な電源電圧の遮断に応じて、第１受信処理部２のパワーオンリセット回路２８０は、図８に示す如き、第１受信処理部２の状態をリセットさせるリセット信号ＲＳＴを生成する。
【００６３】
すなわち、図５及び図６に示される通信システムでは、情報データ（ＲＸ）を第１処理部（２）から伝送ケーブル（３）を介して第２処理部（４）に送信するにあたり、第２処理部（４）は、直流の電源電圧（ＶＤＤ）を、第１処理部（２）を動作させる為の電源として、伝送ケーブル（３）を介して第２処理部（４）に供給する。ここで、第２処理部（４）は、リセット要求信号に応じて、電源電圧（ＶＤＤ）の電圧値を所定期間（Ｔof）だけ低下させる。この際、第１処理部は、伝送ケーブルから導出した電源電圧（ＶＤＤ）を第１の電源供給ライン（Ｂ１）を介して受け、この第１の電源供給ライン（Ｂ１）上の電圧値が低下した場合にリセット要求が為されたと判断し、自身の状態をリセットするリセット信号（ＲＳＴ）を生成するのである。
【００６４】
よって、図５及び図６に示される構成によっても、図２及び図４に示される構成と同様に、リセット信号を送信する為の専用ケーブル或いは無線機能を設けることなく、情報データの受信側（４）からのリセット要求で、情報データの送信側（２）をリセットすることができるので、システム全体の小規模化を図ることが可能となる。
【００６５】
尚、図５に示される構成では、電源電圧導出回路３１０は、伝送ケーブル３を介して供給された電源電圧ＶＤＤを第１の電源供給ラインＢ１を介して第１受信処理部２内の各モジュール（２１〜２３、２５〜２７、２８０、２９０）に供給すると共に、この電源電圧ＶＤＤを第２の電源供給ラインＢ２を介して外部モジュールにも供給できるようにしている。従って、上記した如きリセット動作に伴い、一時的に電源電圧が０ボルトまで低下すると、外部モジュールに供給する電源電圧も低下し、この外部モジュールが誤動作する虞が生じる。
【００６６】
そこで、このような不具合を解消すべく、図５に示す第１受信処理部２では、図３に示す如き期間Ｔｏｆに亘る電源遮断が生じても、外部モジュールの動作に支障を来さない程度に電源電圧の低下を抑えるべき静電容量を有するコンデンサ３２を、外部モジュールに電源電圧を供給する為の電源供給ラインＢ２に接続するようにしている。
【００６７】
また、上記実施例では、第１受信処理部２及び第２受信処理部４を夫々第１及び第２の半導体チップに形成するようにしているが、３個以上の複数の半導体チップに分割して形成させるようにしても良い。
【００６８】
また、上記実施例では、本発明に係る通信システムを車載用ダイバーシティ受信装置に適用させた場合を例にとってその動作を説明したが、車載用ダイバーシティ受信装置以外の装置にも適用可能である。
【００６９】
例えば、複数のアンテナ１1〜１nに代えて、夫々が個別に情報を収集する複数の情報収集装置を採用する。この際、第１受信処理部２は、これら情報収集装置各々で収集された複数の情報片を多重化し、変調した信号を伝送ケーブル３を介して第２受信処理部４に送信するものである。また、第２受信処理部４は、伝送ケーブル３を介して受信した信号を復調することにより、情報収集装置各々で収集された複数の情報片を復元し、かかる情報片に基づく情報処理を実行するものである。ここで、第１受信処理部２には、上記実施例と同様に、リセット検出回路２８（又はパワーオンリセット回路２８０）、リセット送出回路２９（２９０）及び電源電圧導出回路３１（３１０）が含まれており、第２受信処理部４には、リセット生成回路４５（４５０）、リセット要求挿入回路４６、同期信号生成回路４７（４７０）及び電源電圧生成回路５１（５１０）が含まれている。この際、リセット送出回路２９（２９０）は、第１受信処理部２の内部状態をリセットすべきリセット信号を生成するだけではなく、上記した複数の情報収集装置各々をリセットすべきリセット信号を生成するようにしても良い。尚、上記した情報収集装置では、第１受信処理部２側から情報片を第２受信処理部４に送信するようにしているが、第２受信処理部４側から情報片を第１受信処理部２に送信するようにしても良い。この際、第１受信処理部２では、送られてきた情報片からエラーが検出された場合には、エラーが生じていることを示すエラー信号を第２受信処理部４側に送信すると共に、自身（第１受信処理部２）の内部状態をリセットすべきリセット信号の生成を行うようにしても良い。要するに、第１受信処理部２内に、上記したリセット生成回路４５、リセット要求挿入回路４６、同期信号生成回路４７及び変調回路４８を設けると共に、第２受信処理部４内に、上記した同期検出回路２７、リセット検出回路２８及びリセット送出回路２９を設けるような構成を採用しても良いのである。
【符号の説明】
【００７０】
１1〜１n      アンテナ
２            第１受信処理部
３            伝送ケーブル
４            第２受信処理部
２２          変調回路
２８          リセット検出回路
４３          復調回路
４５、４５０  リセット生成回路
４６          リセット要求挿入回路
４７          同期信号生成回路
３１、３１０  電源電圧導出回路
５１、５１０  電源電圧生成回路
【図１】
2014216849.tif 000003
【図２】
2014216849.tif 000004
【図３】
2014216849.tif 000005
【図４】
2014216849.tif 000006
【図５】
2014216849.tif 000007
【図６】
2014216849.tif 000008
【図７】
2014216849.tif 000009
【図８】
2014216849.tif 000010